(57)【要約】【課題】  大きな収納室を確保でき額縁に入った写真と関連する品々をいろいろと納めることが可能で、また収納室に納められたものを取り出さなくても額縁に入った写真等を交換でき、さらには気に入った２つの写真等のシート状飾り品を、額縁を反転することにより簡単に交換できる収納容器付き額縁を提供する。【解決手段】  方形の開口枠１の内周縁部１１に裏面側から透視板２を当接させて開口枠１の開口１ａを塞ぎ、該透視板２上にシート状飾品４又は縁飾りシート３と該シート状飾品４とを重ね合わせることにより、該シート状飾品４を表側から該透視板２を介して見ることのできる額縁Ａ,Ｂを一対形成し、さらに両額縁Ａ,Ｂの少なくとも一方が収納容器６の蓋体を形成し、両額縁に係る両開口枠１の裏面壁１６が相対向するようにし、両額縁Ａ,Ｂの裏面部で別体の収納容器６を挟着してなる。【選択図】  図１
2006334000.tif 000002
【特許請求の範囲】
【請求項１】
方形の開口枠の内周縁部に裏面側から透視板を当接させて開口枠の開口を塞ぎ、該透視板上にシート状飾品又は縁飾りシートと該シート状飾品とを重ね合わせることにより、該シート状飾品を表側から該透視板を介して見ることのできる額縁を形成し、さらに該額縁で収納容器の底部又は蓋体を形成して額縁の後部又は裏面側に収納容器が設けられることを特徴とする収納容器付き額縁。
【請求項２】
前記収納容器を上面開口の容器にし、且つ該収納容器の一側縁に蝶番状枢着部を設け、前記額縁でその裏面側に設けられる収納容器に蓋ができるよう該枢着部を支点に前記開口枠を開閉自在に取着すると共に、該開口枠に設けられた係合具に係合する止具を該収納容器の他側縁に設けて、前記上面開口を閉じて収納容器に蓋をした額縁の前記係合具に該止具で係止できるようにした請求項１記載の収納容器付き額縁。
【請求項３】
方形の開口枠の内周縁部に裏面側から透視板を当接させて開口枠の開口を塞ぎ、該透視板上にシート状飾品又は縁飾りシートと該シート状飾品とを重ね合わせることにより、該シート状飾品を表側から該透視板を介して見ることのできる額縁を一対形成し、少なくとも一方の額縁に係る開口枠の側壁を高くして該額縁を上面開口の収納容器になし、額縁の後部に収納容器用収納室を設け、且つ両開口枠の裏面壁が相対向するようにして他方の額縁で該上面開口に蓋をし一体化させてなることを特徴とする収納容器付き額縁。
【請求項４】
方形の開口枠の内周縁部に裏面側から透視板を当接させて開口枠の開口を塞ぎ、該透視板上にシート状飾品又は縁飾りシートと該シート状飾品とを重ね合わせることにより、該シート状飾品を表側から該透視板を介して見ることのできる額縁を一対形成し、さらに両額縁の少なくとも一方が収納容器の蓋体を形成し、両額縁に係る両開口枠の裏面壁が相対向するようにし、両額縁の裏面部で別体の収納容器を挟着してなることを特徴とする収納容器付き額縁。
【請求項５】
前記一対の額縁に係る開口枠の正面視大きさを同じにする一方、前記収納容器の正面視大きさを該開口枠の正面視大きさよりも小さくして両開口枠に挟着された収納容器の部分が凹部となる請求項４記載の収納容器付き額縁。
【発明の詳細な説明】
【技術分野】
【０００１】
本発明は額縁に飾った写真などと関係の深い品々を収納できる収納容器付き額縁に関する。
【背景技術】
【０００２】
額縁は写真等を飾るものとして使用されているが、該額縁にその写真の人物と関係の深い品物を一緒に保管できる収納容器付き額縁であれば便利である。こうしたことから、収納機能をもつ額縁がこれまでにも提案されている(例えば特許文献１,２)
【０００３】
【特許文献１】特開平６−７９９９９号公報
【特許文献２】特開２００２−３００９５０公報
【発明の開示】
【発明が解決しようとする課題】
【０００４】
しかるに、特許文献１,２共に収納室が小さかった。特許文献１はＣＤのカートリッジを収納するもので、特許文献２はＣＤ−ＲＯＭの他、光ディスク,カセットテープ,メモリースチックなどの収納も可能であるとしている。しかし、両者共に収納物が扁平で全体容量も小さかった。外観も従来の額縁と殆ど変わらなかった。収納物が立体的で少し大きくなると収納が難しかった。
また、特許文献１の小物のカートリッジは取出し容易であるが、特許文献２では写真を入れ替えようとする場合、裏板を外し収納室に納めたものを取除かねばならなかった。
さらに、これまでの額縁は写真等を片面だけしか飾れなかった。額縁に飾った写真を眺めていて、時に部屋の雰囲気等を変えるため別のものと交換したい場合があるが、それにはいちいち前のものを取り出し新たなものと差替えねばならなかった。また、額縁を壁などに掛けずに額立て９を用いて立てて置くケースがあるが、額立て９の係止用ストッパ部９１で額縁が倒れないようその表面側の下部分を係止する必要があって、該ストッパ部が額縁の前に出て目立つ問題があった(図１参照)。そして、ストッパ部で係止するその額縁表面側の下部分を傷つけてしまう問題もあった。
【０００５】
本発明は上記問題点を解決するもので、大きな収納室を確保でき額縁に入った写真と関連する品々をいろいろと納めることが可能で、また収納室に納められたものを取り出さなくても額縁に入った写真等を交換でき、さらには気に入った２枚の写真等のシート状飾り品を、額縁の表裏を逆するだけで簡単に交換できる収納容器付き額縁を提供することを目的とする。
【課題を解決するための手段】
【０００６】
上記目的を達成すべく、請求項１に記載の発明の要旨は、方形の開口枠の内周縁部に裏面側から透視板を当接させて開口枠の開口を塞ぎ、該透視板上にシート状飾品又は縁飾りシートと該シート状飾品とを重ね合わせることにより、該シート状飾品を表側から該透視板を介して見ることのできる額縁を形成し、さらに該額縁で収納容器の底部又は蓋体を形成して額縁の後部又は裏面側に収納容器が設けられることを特徴とする収納容器付き額縁にある。
請求項２の発明たる収納容器付き額縁は、請求項１で、収納容器を上面開口の容器にし、且つ該収納容器の一側縁に蝶番状枢着部を設け、前記額縁でその裏面側に設けられる収納容器に蓋ができるよう該枢着部を支点に前記開口枠を開閉自在に取着すると共に、該開口枠に設けられた係合具に係合する止具を該収納容器の他側縁に設けて、前記上面開口を閉じて収納容器に蓋をした額縁の前記係合具に該止具で係止できるようにしたことを特徴とする。
請求項３に記載の発明の要旨は、方形の開口枠の内周縁部に裏面側から透視板を当接させて開口枠の開口を塞ぎ、該透視板上にシート状飾品又は縁飾りシートと該シート状飾品とを重ね合わせることにより、該シート状飾品を表側から該透視板を介して見ることのできる額縁を一対形成し、少なくとも一方の額縁に係る開口枠の側壁を高くして該額縁を上面開口の収納容器になし、額縁の後部に収納容器用収納室を設け、且つ両開口枠の裏面壁が相対向するようにして他方の額縁で該上面開口に蓋をし一体化させてなることを特徴とする収納容器付き額縁にある。
請求項４に記載の発明の要旨は、方形の開口枠の内周縁部に裏面側から透視板を当接させて開口枠の開口を塞ぎ、該透視板上にシート状飾品又は縁飾りシートと該シート状飾品とを重ね合わせることにより、該シート状飾品を表側から該透視板を介して見ることのできる額縁を一対形成し、さらに両額縁の少なくとも一方が収納容器の蓋体を形成し、両額縁に係る両開口枠の裏面壁が相対向するようにし、両額縁の裏面部で別体の収納容器を挟着してなることを特徴とする収納容器付き額縁にある。
請求項５の発明たる収納容器付き額縁は、請求項４で、一対の額縁に係る開口枠の正面視大きさを同じにする一方、前記収納容器の正面視大きさを該開口枠の正面視大きさよりも小さくして両開口枠に挟着された収納容器の部分が凹部となることを特徴とする。
【発明の効果】
【０００７】
本発明の収納容器付き額縁は、大きな収納室を確保でき額縁に入った写真と関連する品々を種々納めることができ、また収納室に納められたものを取り出さなくても額縁に入った写真等が交換可能で、さらには気に入った２つの写真等のシート状飾り品を、表側と裏側が反転することによって簡単に交換できるなど優れた効果を発揮する。
【発明を実施するための最良の形態】
【０００８】
以下、本発明に係る収納容器付き額縁の一実施形態について詳述する。
(１)実施形態１
図１〜図５は本発明の本収納容器付き額縁の一形態で、図１はその斜視図、図２は図１の側面図、図３は図１の裏面図、図４は図１で裏面側にある額縁の分解斜視図、図５は収納容器付き額縁を正面側額縁,収納容器,裏面側額縁に分解した分解斜視図を示す。出生記念のお祝品などに供する収納容器付き額縁商品に適用するものである。
【０００９】
収納容器付き額縁は、表側額縁と裏側額縁になる一対の額縁Ａ,Ｂと、収納容器６とを具備する。
表側額縁Ａは開口枠１と透視板２と縁飾りシート３と写真等のシート状飾品４とを備える。開口枠１は額縁の外周フレームを形成し、内にシート状飾品４を飾れる大きさの開口１ａを設けた木製中空方形品である。開口１ａを形成する４つの側壁１４が所定高さを有して、正面壁１０に対しＬ字状に後方へ延設する。４つの側壁１４が四角短筒部をつくる。正面壁１０寄りの開口枠１の内周縁部１１には、開口枠１の裏面側に段部を形成して、内側に張出す内鍔１２が設けられる。開口枠１の内周を取巻く該内鍔１２に裏面側から透視板２を当接させることにより開口枠１の開口１ａが塞がれる。開口枠１の両側壁１４に係る外壁１４ａには係合具７１が設けられる。ここでは、外壁１４ａに軸受７１ａを設けた取付板が固着され、先端に球部７１ｃを形成した軸部７１ｂが該軸受に回動自在に支持される係合具７１になっている。
【００１０】
透視板２は樹脂製透明板や透明のガラス板等からなる透視性のある方形板である。透視板２は内鍔１２内寸より大きく、且つ開口枠１周囲を取囲む内側面１４ｂで形成される枠内寸よりも若干小さくする。開口枠１の内周縁部１１、すなわち内鍔１２に開口枠１の裏側から透視板２を当接して開口１ａを覆うことができる。本実施形態はアクリル樹脂製の透明板を用いる。さらに、内鍔１２に透視板２を当接させるにあたって、接着剤を塗り透視板２と開口枠１の一体化を図る。
【００１１】
縁飾りシート３は中央部に窓口３ａの開いたシート状体で、表側に適宜装飾を施した厚紙等からなる。縁飾りシート３の窓口３ａからは写真等のシート状飾品４が現れることになる。縁飾りシート３の外周縁３２は前記透視板２の外周縁２２とほぼ同じ大きさである。縁飾りシート３はなしにしてもよいが、写真などを飾る場合は該縁飾りシート３によって引き立つので、あった方がより好ましくなる
【００１２】
シート状飾品４は写真,絵画,書画,賞状などで、額に入れて飾るためのシート状体である。シート状飾品４は額縁に入れて飾れるシート状体であればよく、ポストカードや、紙に写し取った子供の足形や子供の手形のシートとすることもできる。本実施形態は、前記窓口３ａより大きめにして該窓口３ａを塞ぎ、額縁に入れて飾ることのできる写真４ａとする。生まれて間もない新生児の写真等を飾る。なお、図１の写真４ａは七五三時の男児モデルを撮った本商品付随のサンプル品で、図５では写真４ａを七五三時の女児モデルを撮った本商品付随のサンプル品に変えている。該写真は本収納容器付き額縁をお祝い品等として送られた側の親が我が子の写真と差し替えることになる。開口枠１の開口１ａを塞いだ前記透視板２上に縁飾りシート３とシート状飾品４とを裏面側から当てて重ね合わせた後、該シート状飾品４をテープ等で縁飾りシート３に止めて、該シート状飾品４を表側から該透視板２を介して見ることのできる表側額縁Ａを形成する。開口枠１の開口１ａが透視板２,縁飾りシート３,シート状飾品４に塞がれて有底四角短筒体の表側額縁Ａになる。なお、シート状飾品４はテープ等で止めることなく、シート状飾品４の裏面側へ当て部材(図示せず)を当てて保持するようにしてもよい。
【００１３】
裏側額縁Ｂは、前記表側額縁Ａに設けた係合具７１に代え、開口枠１の両側壁１４の外壁１４ａに止具７６を設けたものである。本実施形態は、図１〜図３に示すごとく外壁１４ａに固着された取付板７６ｂに一対の軸部が近接して起立し各先端に丸球７６ａを設けた止具７６とする。またシート状飾品４は図３のごとく男子の新生児のメモリアル記載事項を記入するための文書記載シート４ｂとする。ここでの文書記載シート４ｂはポストカードになっている。符号Ｍは縁飾りシート３の裏面に取着されたメロディ発生器を示す。電子回路Ｍ２とスピーカＭ１を組合わせた該メロディ発生器によって、収納容器付き額縁の額縁Ｂを取外すと光センサが感知し、例えば誕生日を祝う電子音のメロディを奏でる。図５のごとく裏側額縁Ｂを外すとメロディを奏でるが、表側額縁Ａの裏面にメロディ発生器Ｍを取着し、表側額縁Ａの蓋を開けたときにメロディを奏でるようにしてもよい。開口枠１,透視板２等の他の構成は表側額縁Ａのものと同じでその説明を省く。同一符号は同一又は相当部分を示す。表側額縁Ａ,裏側額縁Ｂは共に同等の額縁であって、図１〜図５で便宜的に符号Ａを表側額縁、符号Ｂを裏側額縁としているすぎない。
【００１４】
収納容器６は上面開口Ｏのボックス状の木製容器である。長方形の底板６０と該底板の側縁から起立する４つの側板６１とで上面開口Ｏの中空方形体を形成する。そして、収納容器６の上面開口側から見た正面視大きさを一対の表側額縁Ａ,裏側額縁Ｂに係る開口枠１の正面視大きさよりも一回り小さくする。表側額縁Ａ,裏側額縁Ｂに係る両開口枠１の裏面壁１６が相対向するようにして、両額縁の裏面部で該収納容器６が挟着されたとき、収納容器６の側板６１が表側額縁Ａ,裏側額縁Ｂに嵌合するよう設定する(図１,図２)。詳しくは、収納容器６の上面開口側の上部が表側額縁Ａの開口枠１に嵌まり、収納容器６の底板６０のある下部が裏側額縁Ｂの開口枠１に嵌まる大きさとする。さらに両額縁Ａ,Ｂの裏面部で該収納容器６が挟着された状況下、両開口枠１の裏面壁１６が相対向しながらも両壁１６,１６が離れた位置に置かれるほどに収納容器６の側板６１を高くする。額縁の正面視大きさに匹敵する底板６０を有し且つ物品Ｓを収納するに十分な高さが確保される収納箱になっている。なお、符号８５は壁掛け用掛止具を示す。
かくして、収納容器６は新生児の関連した物品Ｓ１〜Ｓ４、例えば母子手帳,へその緒,産声を録音したテープ,ＣＤ、誕生の様子を撮ったＤＶＤ、子供への想いを綴ったメッセージカード、病院内で新生児を識別するために足に取付けていた識別札(ベビーリング或いはネームリングともいう。)など、数々の出生記録,記念品を納めるに十分な保管容量が確保される。また本実施形態の収納容器６の内部は図５に示すように仕切板で４つの収納室Ｒに区画化される。該仕切板によって各収納室Ｒに母子手帳,識別札等を整然と納めることができる。識別札はピンフックたる掛具６８に係止できる。
【００１５】
そして、前記表側額縁Ａ,裏側額縁Ｂの両開口枠１に係る側壁１４の裏面壁１６が相対向するようにし、額縁の裏面側に前記収納容器６が設けられ、両額縁の裏面部で別体の収納容器６が挟着される。該収納容器６を表側額縁Ａ,裏側額縁Ｂとで図１,図２のように挟着した後、表側額縁Ａの係合具７１を裏側額縁Ｂの止具７６の方へ倒し、一対の丸球７６ａの間に係合具７１を挿し込んで係止することにより、表側額縁Ａ,収納容器６,裏側額縁Ｂが一体化した収納容器付き額縁が出来上がる。
収納容器６の下部,底板６０を裏側額縁Ｂで受け、収納容器６の上面開口Ｏを表側額縁Ａで蓋し、係合具７１を止具７６に係止することによって表側額縁Ａと収納容器６と裏側額縁Ｂが一体化する。収納容器６の上面開口Ｏに蓋をする蓋体を表側額縁Ａが担う。収納容器６の上部が表側額縁Ａに係る側壁１４のつくる四角短筒部内に内側面１４ｂと当接する状態で嵌入し、さらに収納容器６の下部が裏側額縁Ｂに係る側壁１４のつくる四角短筒部内に内側面１４ｂと当接する状態で嵌入する。斯かる嵌入構造によって、一対の表側額縁Ａ,裏側額縁Ｂに係る開口枠１の正面視大きさを同じにし、且つ収納容器６の正面視大きさを該開口枠１の正面視大きさよりも小さくすることから、両開口枠１に挟着された収納容器６の部分に凹部ｕができる。
【００１６】
このように構成した収納容器付き額縁は、表面側のみならず裏面側にも額縁が存在するので、表側額縁Ａと裏側額縁Ｂのそれぞれに気に入った写真を入れておくと、表と裏をひっくり返すだけで額縁に飾る写真を簡単入れ替えることができる。表側額縁Ａと裏側額縁Ｂとを逆にするだけで、新たな写真等のシート状飾品４が額に飾られることになる。簡便に部屋の雰囲気等を変えることができ重宝する。額縁をいちいち外して中の物を取り出し入れ替えるといった手間がいらない。
【００１７】
そして、収納容器付き額縁として一体化される収納容器６が額縁の正面視大きさに匹敵する底板６０を有し且つ物品Ｓを収納するに十分な高さが確保されているので、収納室Ｒが大きく、額縁に飾る写真と関連する大切な思い出の品々をひとまとめにして保管することができる。額縁に飾る写真等のシート状飾品４と一緒に、出産,誕生から成長の記録をたくさん詰めて一元管理できるので、商品魅力を一段と高める。出産祝い品などに好適となる。収納容器６は表側額縁Ａ,裏側額縁Ｂと別体になっているので、収納容器６への物品Ｓの出し入れが容易である。しかも、一方の額縁(ここでは表側額縁Ａ)が収納容器６の上面開口Ｏの蓋体を兼ねるので、収納容器６に別途、蓋を設ける必要がない。また、額縁Ａ,Ｂと収納容器６が別体構成にあるので、額縁の中の写真等のシート状飾品４の入れ替えもスムーズに運ぶ。収納容器６の中の物を出す必要は全くない。
【００１８】
また、収納容器６を表側額縁Ａ,裏側額縁Ｂとで挟着し、係合具７１に止具７６で係止して、表側額縁Ａ,収納容器６,裏側額縁Ｂが一体化した収納容器付き額縁を容易に組立てることができる。加えて、収納容器６の上部が表側額縁Ａに係る側壁１４のつくる四角短筒部内に嵌入し、且つ収納容器６の下部が表側額縁Ａに係る側壁１４のつくる四角短筒部内に嵌入するので、横ズレせず安定し且つ係止具８５を利用して壁に飾った場合にも別体の表側額縁Ａ,裏側額縁Ｂが抜け落ちるといった不具合もない。見栄えだけでなく安全性が確保されている。
【００１９】
加えて、表側額縁Ａ,収納容器６,裏側額縁Ｂが一体化した収納容器付き額縁は、収納容器６の正面視大きさを開口枠１の正面視大きさよりも小さくすることから、両開口枠１に挟着された収納容器６の部分が凹部ｕになるので、該凹部ｕに額立て９の係止用ストッパ部９１を挿入し、収納容器付き額縁を立て掛けることができる。
ここで、額縁は前記掛止具８５にひもを取り付けて壁にかける他、図１に示すような額立て９９で額縁を立て掛けて飾る場合がある。従来品は額縁が前滑りしないよう額縁の正面壁１０の下部分を額立て９の係止用ストッパ部９１で係止しなければならなかった。図１中、符号９０はベース部、符号９２は額縁の裏面に当接して支える支え部、符号９３はつっかえ棒の役目を果たす傾斜部、符号９５は額縁下部を置くためのスペース確保部である。
しかるに、従来品は該ストッパ部９１が額縁の前に出て目立つ問題があり、さらにストッパ部９１で係止するその額縁表面１０の下部分を傷つけてしまう問題もあった。これに対し、本収納容器付き額縁はストッパ部９１が凹部ｕに入り込んで係止するので、額立て９で収納容器付き額縁を飾っても、額縁正面に額立て９が現れず見栄えが良くなる。ストッパ部９１が凹部ｕに嵌入して係止するので、収納容器付き額縁を立てて飾る場合に安定性も良い。さらにストッパ部９１が額縁正面壁１０に当接しないので、額縁の意匠面たる正面壁１０が傷つくこともなく、商品が長持ちするなどの数々の優れた効果を発揮する。
【００２０】
(２)実施形態２
本収納容器付き額縁は実施形態１の別形態品で、図６のごとくの収納容器を額縁Ａの後部に設けたものである。
方形の開口枠１の内周縁部１１に裏面側から透視板２を当接させて開口枠１の開口１ａを塞ぎ、該透視板上にシート状飾品４又は縁飾りシート３と該シート状飾品４とを重ね合わせることにより、シート状飾品４を表側から透視板２を介して見ることのできる額縁を一対形成するのは実施形態１と同じである。しかし、実施形態１と異なり、少なくとも一方の額縁に係る開口枠１の側壁１４を高くして該額縁を上面開口Ｏの収納容器とする。本実施形態の表側額縁Ａはその開口枠１の側壁１４を図示のごとく高くして表側額縁Ａの後方を上面開口Ｏにした有底四角筒体の収納容器を兼ねさせる。額縁の後部に収納容器用収納室Ｒを設ける。そして、表側,裏側額縁Ａ,Ｂに係る両開口枠１の裏面壁１６が相対向するようにして、他方の裏側額縁Ｂで該上面開口Ｏに蓋をし両者を一体化させた収納容器付き額縁にする。表側額縁Ａ,裏側額縁Ｂとの裏面壁同士１６,１６を図６のように当接させた後、表側額縁Ａの係合具７１を裏側額縁Ｂの止具７６の方へ倒し、一対の丸球７６ａの間に係合具７１を挿し込んで係止することにより、表側額縁Ａ,裏側額縁Ｂが一体化した収納容器付き額縁となす。他の構成は実施形態１と同様で、その説明を省く。実施形態１と同一符号は同一又は相当部分を示す。
【００２１】
このように構成した収納容器付き額縁は、表側額縁Ａが収納容器を兼ね備えるので、別体の収納容器６がなくなり、実施形態１に比べ簡素化され低コスト化が図られる。その一方で、表側額縁Ａの中の写真等のシート状飾品４を入れ替えるには、収納室Ｒの中の物品Ｓを取り出さねばならず、実施形態１と比較して多少の難がある。その他の作用,効果は表側,裏側に額縁Ａ,Ｂが存在しており、実施形態１と同様の作用,効果を発揮する。
【００２２】
(３)実施形態３
本実施形態は図７〜図９ごとく遺影を飾るのに適用した収納容器付き額縁とする。収納容器６の側縁に蝶番状枢着部７８を設けて額縁Ａを開閉自在に取付け、収納容器６の上面開口Ｏに蓋ができるようにした収納容器付き額縁である。
【００２３】
方形の開口枠１の内周縁部１１に裏面側から透視板２を当接させて開口枠１の開口１ａを塞ぎ、透視板２上にシート状飾品４又は縁飾りシート３とシート状飾品４とを重ね合わせることによりシート状飾品４を表側から透視板２を介して見ることのできる額縁Ａを形成するのは、実施形態１,２と同様である。ただ、本実施形態は表側額縁Ａに相当する１つの額縁しか存在しない。
額縁Ａの裏面側に上面開口Ｏの収納容器６が設けられ、該額縁Ａが収納容器６の蓋体を担う。収納容器６の一側縁に蝶番状枢着部７８を設け、額縁Ａでその裏面側に設けられる収納容器６に蓋ができるよう該枢着部７８を支点に額縁Ａに係る開口枠１が開閉自在に取着される。そして、開口枠１に設けた図示のごとくの係合具７１に係合する止具７６を該収納容器６の他側縁に設け、上面開口Ｏを閉じて収納容器６に蓋をした額縁Ａの係合具７１に止具７６で係止できる収納容器付き額縁とする。
【００２４】
本実施形態の額縁Ａは開口枠１と透視板２と縁飾りシート３とシート状飾品４と板状の当て部材５１とを備える。開口枠１の側壁１４は実施形態１のように収納容器６を嵌合する役目や、実施形態２のように収納容器６の収納室Ｒを形成する役目もなく、図示のごとくその高さを低くする。側壁１４の高さが低くなり、額縁Ａは蓋体として都合の良い盤状体になる。
【００２５】
開口枠１は内周縁部１１に内鍔１２を設け、さらに該内鍔の外周側に位置する側壁１４の内面に透視板２,縁飾りシート３,当て部材５１,掛具７７用の段部１５を形成する。開口枠１の裏面側から透視板２上に縁飾りシート３,シート状飾品４,当て部材５１を順次重ね合わせ、掛具７７で当て部材５１の裏面を係止することで、図９のごとく開口枠１の裏面壁１６よりも当て部材５１が若干低い位置に納まる盤状の額縁Ａとする。
【００２６】
収納容器６は上面開口Ｏのボックス状の木製容器である。長方形の底板６０と該底板の側縁から起立する４つの側板６１とで上面開口Ｏの中空方形体を形成する。底板内面には布地シート６３が適宜敷かれる(図９)。
収納容器６の上面開口側から見た正面視大きさは額縁Ａの正面視大きさに一致する。額縁Ａで上面開口Ｏに蓋すると、収納容器６の側板６１に係る上端面６１ａに、額縁Ａの開口枠１に係る裏面壁１６が当接する。斯かる状態にして、額縁Ａの係合具７１を止具７６に係止させると、額縁Ａと収納容器６とが一体化した収納容器付き額縁になる。
【００２７】
このように構成した収納容器付き額縁は、額縁Ａ,Ｂが両面に存在することのよる実施形態１,２の効果は発揮できない。しかるに、収納容器６が額縁Ａの正面視大きさと同じであり、実施形態１,２より大きくなる。さらに物品Ｓを収納するに十分な高さを確保できるので、同じサイズのシート状飾り品４を飾る収納容器付き額縁であっても、収納室Ｒが大きくなり、額縁Ａに飾る写真４ａ等と関連する大きな品々もひとまとめにして保管することができる。例えば、遺影を額縁Ａに入れて飾ると同時に、生前着用していた比較的大きな着物類を収納容器６に納め、まとめて保管することもできる。保管に際しては、着物類を収納容器６に入れた後、収納容器６に額縁Ａで蓋し、係合具７１に止具７６で係止することにより、額縁Ａ,収納容器６が一体化した収納容器付き額縁を簡単に組み付け、保管に供することができる。
【００２８】
また、斯かる収納容器付き額縁は、収納容器６の一側縁に蝶番状枢着部７８を設け、該枢着部７８を支点に額縁Ａが開閉自在に取着されているので、使い勝手に優れる。さらに、額縁Ａを収納容器６から所定角度で開いた状態にすることによって豪華展示ができ、販売側にとっては販売用ディスプレイにも効を奏するものとなる。
収納容器６は枢着部７８によって額縁Ａと接続するが、別体になっているので収納容器６への物品Ｓの出し入れが容易になる。額縁Ａが収納容器６の上面開口Ｏの蓋体を兼ねるので、収納容器６用として別途、蓋を設けなくて済む。額縁Ａと収納容器６とが別体構成にあるので、額縁Ａの中の写真等のシート状飾品４の入れ替えもスムーズに運ぶ。収納容器６の中の物を出す必要もない。
【００２９】
(４)実施形態４
本実施形態は図１０,図１１ごとくの収納容器付き額縁で、額縁Ａを構成する開口枠１の後部を収納容器６にしたものである。
方形の開口枠１の内周縁部１１に裏面側から透視板２を当接させて開口枠１の開口１ａを塞ぎ、該透視板上にシート状飾品４又は縁飾りシート３と該シート状飾品４とを重ね合わせることにより、該シート状飾品４を表側から該透視板を介して見ることのできる額縁Ａを形成する。さらに該額縁で収納容器６の底部及び側部を形成して額縁Ａの後部に収納容器６を設ける。
【００３０】
詳しくは、額縁Ａに係る開口枠１の側壁１４を高くして、実施形態２の表側額縁Ａに係る開口枠１とほぼ同様のものを形成する。透視板２上に縁飾りシート３,シート状飾品４,仕切り部材５２,蓋板８１を順次重ね合わせた後、掛具７７で蓋板８１の裏面側を係止することによって、額縁Ａの後部に収納容器用収納室Ｒが設けられた収納容器付き額縁とする。
透視板２,縁飾りシート３,シート状飾品４は実施形態１と同様で説明を省く。仕切り部材５２は板状の押え板５２ａと仕切り材５２ｂとからなる。押え板５２ａは透視板２,縁飾りシート３と同じ大きさの板体で、透視板２上へ縁飾りシート３,シート状飾品４に続いて開口枠１内に納められる。押え板５２ａを開口枠１内に納めると、図１１のごとく仕切り材５２ｂの上端縁５２ｂ１が開口枠１の裏面壁１６より少し下の位置におさまる。次いで、蓋板８１を仕切り材５２ｂに当てがい開口枠１の裏面側開口に蓋をすると、蓋板８１と裏面壁１６がほぼ面一になる。斯かる状態を確保して、掛具７７で蓋板８１を係止すると、額縁Ａの後部に収納容器用収納室Ｒが設けられた収納容器付き額縁になる。尚、符号８１は開口枠１の裏面側開口に蓋をした蓋板８１を取り外す際に用いる取外し用ひも、符号７７１は掛具７７を回動可能に裏面壁１６に取着するビスを示す。
【００３１】
このように構成した収納容器付き額縁は、額縁Ａに写真４ａ等のシート状飾品４を入れて飾るだけでなく、写真４ａ等に関係した物品Ｓを一緒に収納保管できる。しかも、開口枠１の正面視大きさが収納容器６の底面になって大きく、開口枠１の側壁高さを用途等に合わせて自由に設定できるので、大きな収納室Ｒを確保でき、額縁Ａに入った写真と関連する物品を種々納めることができる。
【００３２】
尚、本発明の収納容器付き額縁は前記実施形態,実施例に示すものに限ることなく、目的,用途に応じて本発明の範囲で種々変更できる。額縁Ａ,Ｂ、透視板２,縁飾りシート３,シート状飾品４,当て部材５１,収納容器６,係合具７１,止具７６,蓋板８１等の形状,大きさ,個数,材質等は用途等に合わせて適宜選択できる。前記実施形態では収納容器付き額縁を出生記念のお祝品や遺影を飾るものに適用したが、これに限定されない。例えばペットの写真を額縁Ａに飾り、これに関連する物品を収納容器６に納めるようにしてもよい。
【図面の簡単な説明】
【００３３】
【図１】実施形態１の収納容器付き額縁の斜視図である。
【図２】図１の側面図である。
【図３】図１の裏面図である。
【図４】図１で裏面側にある額縁の分解斜視図である。
【図５】収納容器付き額縁を正面側額縁,収納容器,裏面側額縁に分解した分解斜視図である。
【図６】実施形態２に係る収納容器付き額縁の一部断面側面図である。
【図７】実施形態３に係る収納容器付き額縁の斜視図である。
【図８】図７の額縁を開いた状態にした収納容器付き額縁の斜視図である。
【図９】図７の一部拡大断面図である。
【図１０】実施形態４に係る収納容器付き額縁の分解斜視図である。
【図１１】図１０の収納容器付き額縁の一部断面側面図である。
【符号の説明】
【００３４】
１          開口枠
１ａ        開口
１１        内周縁部
２          透視板
３          縁飾りシート
４          シート状飾品
６          収納容器
７１        係合具
７６        止具
７８        枢着部
Ａ          額縁(表側額縁)
Ｂ          額縁(裏側額縁)
Ｒ          収納室
ｕ          凹部
【図１】
2006334000.tif 000003
【図２】
2006334000.tif 000004
【図３】
2006334000.tif 000005
【図４】
2006334000.tif 000006
【図５】
2006334000.tif 000007
【図６】
2006334000.tif 000008
【図７】
2006334000.tif 000009
【図８】
2006334000.tif 000010
【図９】
2006334000.tif 000011
【図１０】
2006334000.tif 000012
【図１１】
2006334000.tif 000013